(57)【要約】【課題】静止系部材に対して可動部材を組付ける際に、容易に静止コネクタと可動コネクタとの位置合わせを行うことができ、組付性を向上することができるコネクタ接続構造を提供する。【解決手段】静止系部材３と、静止系部材３に組付けられる可動部材５と、静止系部材３に設けられた静止コネクタ７と、可動部材５に設けられた可動コネクタ９とを備え、静止系部材３に対して可動部材５を組付けることにより静止コネクタ７と可動コネクタ９とが嵌合されるコネクタ接続構造１において、可動コネクタ９を、可動部材５に一体成形し、静止コネクタ７を、静止系部材３に保持部１１を介して固定し、静止系部材３と可動部材５とに、可動部材５を静止系部材３に組付けるときに係合し、静止コネクタ７と可動コネクタ９との嵌合位置を位置決めさせる嵌合位置決め部１３を設けた。【選択図】図２
2015176781.tif 000002
【特許請求の範囲】
【請求項１】
静止系部材と、この静止系部材に組付けられる可動部材と、前記静止系部材に設けられた静止コネクタと、前記可動部材に設けられた可動コネクタとを備え、前記静止系部材に対して前記可動部材を組付けることにより前記静止コネクタと前記可動コネクタとが嵌合されるコネクタ接続構造であって、
前記可動コネクタは、前記可動部材に一体成形され、前記静止コネクタは、前記静止系部材に保持部を介して固定され、
前記静止系部材と前記可動部材とには、前記可動部材を前記静止系部材に組付けるときに係合し、前記静止コネクタと前記可動コネクタとの嵌合位置を位置決めさせる嵌合位置決め部が設けられていることを特徴とするコネクタ接続構造。
【請求項２】
請求項１記載のコネクタ接続構造であって、
前記保持部は、前記静止系部材に設けられ前記静止コネクタが圧入される圧入部であることを特徴とするコネクタ接続構造。
【請求項３】
請求項１記載のコネクタ接続構造であって、
前記保持部は、前記静止系部材と前記静止コネクタとに設けられ、前記静止コネクタを前記静止系部材に組付けることによって係合する係合部であることを特徴とするコネクタ接続構造。
【請求項４】
請求項１記載のコネクタ接続構造であって、
前記静止コネクタは、前記静止系部材に配索された電線の端部に接続され、
前記保持部は、前記電線が前記静止系部材に少なくとも２箇所で屈曲されて配索された屈曲部であることを特徴とするコネクタ接続構造。
【発明の詳細な説明】
【技術分野】
【０００１】
本発明は、コネクタ接続構造に関する。詳細には、一方のコネクタが設けられた一方の部材と、他方のコネクタが設けられた他方の部材とを組付けることにより、一方のコネクタと他方のコネクタとを嵌合させるコネクタ接続構造に関する。
【背景技術】
【０００２】
従来、コネクタ接続構造としては、静止系部材としての車室前部の内側面と、この車室前部の内側面に組付けられる可動部材としてのカバーと、車室前部の内側面に設けられた静止コネクタとしての車体側コネクタと、カバーに設けられた可動コネクタとしてのモジュール側コネクタとを備えたものが知られている（例えば、特許文献１参照）。
【０００３】
このコネクタ接続構造では、車体側コネクタが車室前部の内側面に固定され、モジュール側コネクタが保持部を介してカバーに保持されており、車室前部の内側面に対してカバーを組付けることにより車体側コネクタとモジュール側コネクタとが嵌合される。
【先行技術文献】
【特許文献】
【０００４】
【特許文献１】特開２００３−３３１９８５号公報
【発明の概要】
【発明が解決しようとする課題】
【０００５】
しかしながら、上記特許文献１のようなコネクタ接続構造では、静止系部材に対して可動部材を組付ける際に、静止コネクタと可動コネクタとの位置合わせが行われていないので、単純に静止系部材に可動部材を組付けるだけでは静止コネクタと可動コネクタとが嵌合できない恐れがあった。
【０００６】
このため、静止系部材に対して可動部材を組付ける際には、ある程度の静止コネクタと可動コネクタとの意識的な位置合わせが必要であり、組付性が低下していた。
【０００７】
そこで、この発明は、静止系部材に対して可動部材を組付ける際に、容易に静止コネクタと可動コネクタとの位置合わせを行うことができ、組付性を向上することができるコネクタ接続構造の提供を目的としている。
【課題を解決するための手段】
【０００８】
請求項１記載の発明は、静止系部材と、この静止系部材に組付けられる可動部材と、前記静止系部材に設けられた静止コネクタと、前記可動部材に設けられた可動コネクタとを備え、前記静止系部材に対して前記可動部材を組付けることにより前記静止コネクタと前記可動コネクタとが嵌合されるコネクタ接続構造であって、前記可動コネクタは、前記可動部材に一体成形され、前記静止コネクタは、前記静止系部材に保持部を介して固定され、前記静止系部材と前記可動部材とには、前記可動部材を前記静止系部材に組付けるときに係合し、前記静止コネクタと前記可動コネクタとの嵌合位置を位置決めさせる嵌合位置決め部が設けられていることを特徴とする。
【０００９】
このコネクタ接続構造では、静止系部材と可動部材とに、可動部材を静止系部材に組付けるときに係合し、静止コネクタと可動コネクタとの嵌合位置を位置決めさせる嵌合位置決め部が設けられているので、静止系部材に対して可動部材を組付ける際に、嵌合位置決め部を係合させることによって、静止コネクタと可動コネクタとを嵌合位置に位置合わせすることができる。
【００１０】
このため、静止系部材と可動部材との嵌合位置決め部の係合により、意識的な静止コネクタと可動コネクタとの位置合わせを行うことなく、静止系部材と可動部材との組付けと同時に、静止コネクタと可動コネクタとを嵌合させることができる。
【００１１】
従って、このようなコネクタ接続構造では、静止系部材に対して可動部材を組付ける際に、容易に静止コネクタと可動コネクタとの位置合わせを行うことができ、組付性を向上することができる。
【００１２】
請求項２記載の発明は、請求項１記載のコネクタ接続構造であって、前記保持部は、前記静止系部材に設けられ前記静止コネクタが圧入される圧入部であることを特徴とする。
【００１３】
このコネクタ接続構造では、保持部が、静止系部材に設けられ静止コネクタが圧入される圧入部であるので、静止コネクタと係合する係止部や別体の係止部材を用いる必要がなく、静止コネクタを静止系部材に固定させることができる。
【００１４】
請求項３記載の発明は、請求項１記載のコネクタ接続構造であって、前記保持部は、前記静止系部材と前記静止コネクタとに設けられ、前記静止コネクタを前記静止系部材に組付けることによって係合する係合部であることを特徴とする。
【００１５】
このコネクタ接続構造では、保持部が、静止系部材と静止コネクタとに設けられ、静止コネクタを静止系部材に組付けることによって係合する係合部であるので、静止系部材に対して静止コネクタが移動可能なように係合部を係合させることにより、係合部に組付けなどにおける寸法公差の吸収機能や静止コネクタと可動コネクタとの嵌合における調芯機能をもたせることができる。
【００１６】
請求項４記載の発明は、請求項１記載のコネクタ接続構造であって、前記静止コネクタは、前記静止系部材に配索された電線の端部に接続され、前記保持部は、前記電線が前記静止系部材に少なくとも２箇所で屈曲されて配索された屈曲部であることを特徴とする。
【００１７】
このコネクタ接続構造では、保持部が、電線が静止系部材に少なくとも２箇所で屈曲されて配索された屈曲部であるので、静止系部材に直接的に静止コネクタを保持させるための部分を設ける必要がなく、静止系部材の大型化を抑制することができる。
【発明の効果】
【００１８】
本発明によれば、静止系部材に対して可動部材を組付ける際に、容易に静止コネクタと可動コネクタとの位置合わせを行うことができ、組付性を向上することができるコネクタ接続構造を提供することができるという効果を奏する。
【図面の簡単な説明】
【００１９】
【図１】本発明の実施の形態に係るコネクタ接続構造の静止系部材に可動部材を組付ける前の斜視図である。
【図２】本発明の実施の形態に係るコネクタ接続構造の静止系部材に可動部材を組付けるときの斜視図である。
【図３】本発明の実施の形態に係るコネクタ接続構造の静止系部材に可動部材を組付けたときの斜視図である。
【図４】（ａ）は本発明の実施の形態に係るコネクタ接続構造の保持部を圧入部としたときの斜視図である。（ｂ）は図４（ａ）の要部拡大上面図である。
【図５】（ａ）は本発明の実施の形態に係るコネクタ接続構造の保持部を係合部としたときの斜視図である。（ｂ）は図５（ａ）の要部拡大正面図である。
【図６】（ａ）は本発明の実施の形態に係るコネクタ接続構造の保持部を他例の係合部としたときの斜視図である。（ｂ）は図６（ａ）の要部拡大正面図である。
【図７】本発明の実施の形態に係るコネクタ接続構造の保持部を屈曲部としたときの上面図である。
【図８】（ａ）は本発明の実施の形態に係るコネクタ接続構造の保持部を保持部材としたときの斜視図である。（ｂ）は本発明の実施の形態に係るコネクタ接続構造の保持部を他例の保持部材としたときの要部拡大上面図である。
【発明を実施するための形態】
【００２０】
図１〜図８を用いて本発明の実施の形態に係るコネクタ接続構造について説明する。
【００２１】
本実施の形態に係るコネクタ接続構造１は、静止系部材３と、この静止系部材３に組付けられる可動部材５と、静止系部材３に設けられた静止コネクタ７と、可動部材５に設けられた可動コネクタ９とを備え、静止系部材３に対して可動部材５を組付けることにより静止コネクタ７と可動コネクタ９とが嵌合される。
【００２２】
また、可動コネクタ９は、可動部材５に一体成形され、静止コネクタ７は、静止系部材３に保持部１１を介して固定されている。
【００２３】
そして、静止系部材３と可動部材５とには、可動部材５を静止系部材３に組付けるときに係合し、静止コネクタ７と可動コネクタ９との嵌合位置を位置決めさせる嵌合位置決め部１３が設けられている。
【００２４】
ここで、静止系部材３に対して静止コネクタ７を固定する保持部１１は、以下のような構成がある。
【００２５】
保持部１１は、静止系部材３に設けられ静止コネクタ７が圧入される圧入部１５である。
【００２６】
保持部１１は、静止系部材３と静止コネクタ７とに設けられ、静止コネクタ７を静止系部材３に組付けることによって係合する係合部１７である。
【００２７】
保持部１１は、静止系部材３に配索され端部に静止コネクタ７が接続される電線１９が、静止系部材３に２箇所で屈曲されて配索された屈曲部２１である。
【００２８】
保持部１１は、静止系部材３と別体で形成され、静止コネクタ７を固定した状態で、静止系部材３に固定される保持部材２３である。
【００２９】
本実施の形態に係るコネクタ接続構造１においては、係合部１７からなる保持部１１が適用されているが、どの保持部１１であってもよく、保持部１１の詳細については後述する。
【００３０】
図１〜図３に示すように、静止系部材３は、例えば、車体側などのように係止系である部分に固定される部材となっている。この静止系部材３には、電線１９（図７参照）が配索して固定される電線固定部２５が設けられている。
【００３１】
電線固定部２５は、静止系部材３から取り外し可能なように静止系部材３と別体で形成されている。この電線固定部２５は、例えば、車両に搭載された電源や機器などに接続された電線１９が配索され、この配索された電線１９を固定する。このような静止系部材３には、可動部材５が組付けられる。
【００３２】
可動部材５は、直方体状に形成され、例えば、静止系部材３と別体に形成されて静止系部材３に組付けることによって車両に搭載される電子部品などからなる。この可動部材５は、静止コネクタ７と可動コネクタ９とを嵌合させることにより、静止系部材３側に配置された電源や機器などに電気的に接続される。
【００３３】
静止コネクタ７は、直方体状に形成され、静止系部材３の電線固定部２５に配索される電線１９の端部に配置され、内部に電線１９に電気的に接続された端子（不図示）が収容されている。
【００３４】
この静止コネクタ７の上方には、撓み可能なロックアーム２７が設けられ、ロックアーム２７の中央部にはロック突起２９が突設され、ロックアーム２７の端部には下方に向けて押圧操作される操作部３１が設けられている。
【００３５】
このような静止コネクタ７は、静止系部材３の電線固定部２５に保持部１１を介して固定され、静止系部材３に対して可動部材５を組付けることにより、可動部材５に設けられた可動コネクタ９に嵌合される。
【００３６】
可動コネクタ９は、可動部材５の上方に静止コネクタ７を収容可能に筐体状に可動部材５と連続する一部材で形成され、内部に可動部材５内に収容された回路基板（不図示）などに接続された端子（不図示）が収容されている。
【００３７】
この可動コネクタ９の上面には、静止コネクタ７との嵌合方向に沿って長穴形状のロック孔部３３が設けられている。
【００３８】
このロック孔部３３は、静止コネクタ７と可動コネクタ９とが嵌合するときに、端部がロック突起２９と当接してロックアーム２７を下方に向けて撓ませ、静止コネクタ７と可動コネクタ９とが嵌合したときに、内周面にロック突起２９がロックアーム２７の上方への復元によって係合され、静止コネクタ７と可動コネクタ９との嵌合状態を係止する。
【００３９】
なお、静止コネクタ７と可動コネクタ９との嵌合状態は、ロックアーム２７の操作部３１を下方に向けて押圧することにより、ロックアーム２７を下方に向けて撓ませ、ロック突起２９とロック孔部３３との係合を解除することによって解除することができる。
【００４０】
このような可動コネクタ９は、静止系部材３に対して可動部材５を組付けることにより、静止系部材３に固定された静止コネクタ７に嵌合される。この静止コネクタ７と可動コネクタ９との嵌合は、静止系部材３と可動部材５とに設けられた嵌合位置決め部１３によって、嵌合位置が位置決めされる。
【００４１】
嵌合位置決め部１３は、静止系部材３に設けられ電線固定部２５の下面に位置された円形状の嵌合孔部３５と、可動部材５の側面から嵌合方向に向けて突設された嵌合孔部３５の内径と同等の外径を有する円柱状の嵌合突部３７とからなる。
【００４２】
この嵌合位置決め部１３は、図２の矢印で示すように、静止系部材３に対して可動部材５を組付ける際に、嵌合突部３７が嵌合孔部３５に挿入されて係合し、静止コネクタ７と可動コネクタ９との嵌合位置を位置決めさせる。
【００４３】
このとき、静止系部材３に対して可動部材５の組付位置がずれている場合には、例えば、可動部材５の側面が静止系部材３の電線固定部２５が位置する側面に当接するなどして、嵌合突部３７を嵌合孔部３５に挿入することができず、静止系部材３に可動部材５を組付けることができない。
【００４４】
すなわち、静止系部材３に対して可動部材５の組付位置がずれている場合には、静止系部材３に可動部材５を組付けることができず、静止コネクタ７と可動コネクタ９とが嵌合されることがない。
【００４５】
ここで、嵌合孔部３５と嵌合突部３７とは、互いに円形状であるので、嵌合孔部３５に嵌合突部３７を挿入した状態で、嵌合突部３７が回転する可能性がある。
【００４６】
しかしながら、嵌合孔部３５に嵌合突部３７を挿入した状態では、図３に示すように、可動部材５の上面が保持部１１や電線固定部２５の下面にしており、嵌合突部３７が嵌合孔部３５に対して回転することがなく、静止コネクタ７と可動コネクタ９との嵌合位置がずれることがない。なお、嵌合突部３７の回転を防止するために、嵌合突部３７を嵌合孔部３５に圧入させてもよい。
【００４７】
従って、静止系部材３に対して可動部材５を組付けることができる状態では、必ず静止コネクタ７と可動コネクタ９との位置合わせが行われており、静止系部材３に可動部材５を組付けることにより静止コネクタ７と可動コネクタ９とを嵌合することができる。
【００４８】
ここで、図４〜図８を用いて静止系部材３に対して静止コネクタ７を固定させる保持部１１について説明する。
【００４９】
図４に示す保持部１１は、静止系部材３と連続する一部材で形成され、電線固定部２５が位置する側面から延設された上面と一側面が開口された凹状に形成された圧入部１５となっている。
【００５０】
この圧入部１５は、内径が静止コネクタ７の端部の外径より僅かに小さく設定されており、静止コネクタ７の端部が上方から挿入されて圧入される。
【００５１】
このように保持部１１としての圧入部１５に静止コネクタ７を圧入することにより、静止系部材３や静止コネクタ７に互いに係合する係止部や別体の係止部材などを用いる必要がなく、部品点数を削減して静止コネクタ７を静止系部材３に固定することができる。
【００５２】
図５，図６に示す保持部１１は、静止系部材３と静止コネクタ７とに設けられ、静止コネクタ７を静止系部材３に組付けることによって係合する係合部１７，１７となっている。
【００５３】
図５に示す係合部１７は、静止コネクタ７の端部の外周面に係合する係合爪部３９を備えている。係合爪部３９は、静止系部材３と連続する一部材で形成され、電線固定部２５が位置する側面から延設された上面と一側面が開口された凹状に形成された基部４１の両側壁の上面から撓み可能に上方に向けて延設され、自由端側に傾斜面を有する爪部が設けられている。
【００５４】
この係合爪部３９は、基部４１の上方から静止コネクタ７の端部を基部４１に挿入することにより、爪部の傾斜面が静止コネクタ７の下面に当接して撓まされ、静止コネクタ７の端部を基部４１に挿入したときに、復元されて爪部を静止コネクタ７の端部外周面に係合させる。なお、係合爪部３９の基端側には、図１に示すように、係合爪部３９が撓みやすいように両側にスリットを設けてもよい。
【００５５】
図６に示す係合部１７は、静止系部材３の基部４１の両側壁から内部に向けて突設され静止コネクタ７の挿入方向に沿って延設された一対の突条４３，４３と、静止コネクタ７の両側面に一対の突条４３，４３と係合可能に挿入方向に沿って設けられた一対の溝部４５，４５とを備えている。
【００５６】
この係合部１７は、静止コネクタ７を基部４１の一側面の開口から挿入することにより、一対の突条４３，４３と一対の溝部４５，４５とが係合され、静止コネクタ７の挿入を案内すると共に、静止コネクタ７の組付状態を保持する。
【００５７】
この一対の突条４３，４３と一対の溝部４５，４５とが係合された状態では、静止コネクタ７が上下方向及び左右方向に僅かに移動可能なように、一対の突条４３，４３と一対の溝部４５，４５との間に僅かな隙間が設定されている。
【００５８】
このような保持部１１としての係合部１７，１７により、係合爪部３９の撓みや一対の突条４３，４３と一対の溝部４５，４５との間の隙間によって、静止系部材３に対して静止コネクタ７を僅かに移動させることができ、組付けなどにおける寸法公差の吸収や静止コネクタ７と可動コネクタ９との嵌合における調芯などを行うことができる。
【００５９】
図７に示す保持部１１は、静止コネクタ７が端部に接続された電線１９を、静止系部材３の電線固定部２５に２箇所で屈曲させて配索して固定させた屈曲部２１となっている。
【００６０】
この屈曲部２１は、電線１９の静止コネクタ７側から電線固定部２５側に向けた部分をほぼ９０度に屈曲させ、この屈曲された部分をさらに電線固定部２５側に向けてほぼ９０度に屈曲させることによって形成されている。
【００６１】
このように電線１９に屈曲部２１を設けて電線固定部２５に配索して固定することにより、電線固定部２５から電線１９が抜け出ることを防止することができ、電線１９の端部に接続された静止コネクタ７を静止系部材３に保持することができる。
【００６２】
このような保持部１１としての屈曲部２１により、静止系部材３に直接的に静止コネクタ７を保持させるための部分を設ける必要がなく、静止系部材３の大型化を抑制することができる。
【００６３】
加えて、静止コネクタ７を直接的に固定していないので、静止系部材３に対して静止コネクタ７を僅かに移動させることができ、静止コネクタ７と可動コネクタ９との嵌合における調芯を行うことができると共に、屈曲部２１によって静止コネクタ７にかかる外力を吸収することができ、電線１９と静止コネクタ７との接続解除を防止することができる。
【００６４】
図８に示す保持部１１は、静止系部材３と別体で形成された、例えば、金属材料からなり、静止コネクタ７を固定した状態で、静止系部材３に固定される保持部材２３となっている。
【００６５】
この保持部材２３は、電線１９側と静止コネクタ７側との側面と上面とが開口された凹状の固定部４７に静止コネクタ７が圧入や係止部などによって固定される。
【００６６】
図８（ａ）に示す保持部材２３は、固定部４７に静止コネクタ７が固定された状態で、電線１９側がボルトや係止部などの固定手段（不図示）によって静止系部材３の電線固定部２５（図１参照）が配置される部分に固定される。
【００６７】
図８（ｂ）に示す保持部材２３は、電線１９側に静止系部材３の電線固定部２５（図１参照）が配置される部分に設けられた一対の溝部からなる被挿入部４９に係合される一対の突条からなる挿入部５１が形成され、挿入部５１を被挿入部４９に挿入して係合させることにより、静止系部材３に固定される。
【００６８】
なお、被挿入部４９と挿入部５１との間には、静止コネクタ７が静止系部材３に対して僅かに移動可能なように、僅かな隙間が設定され、組付けなどにおける寸法公差の吸収や静止コネクタ７と可動コネクタ９（図２参照）との嵌合における調芯などを行うことができる。
【００６９】
このような保持部１１としての静止系部材３と別体で形成された保持部材２３により、静止系部材３側に保持部１１の設計が困難である場合に、保持部材２３を介して静止コネクタ７を静止系部材３に固定することができる。
【００７０】
このようなコネクタ接続構造１では、静止系部材３と可動部材５とに、可動部材５を静止系部材３に組付けるときに係合し、静止コネクタ７と可動コネクタ９との嵌合位置を位置決めさせる嵌合位置決め部１３が設けられているので、静止系部材３に対して可動部材５を組付ける際に、嵌合位置決め部１３を係合させることによって、静止コネクタ７と可動コネクタ９とを嵌合位置に位置合わせすることができる。
【００７１】
このため、静止系部材３と可動部材５との嵌合位置決め部１３の係合により、意識的な静止コネクタ７と可動コネクタ９との位置合わせを行うことなく、静止系部材３と可動部材５との組付けと同時に、静止コネクタ７と可動コネクタ９とを嵌合させることができる。
【００７２】
従って、このようなコネクタ接続構造１では、静止系部材３に対して可動部材５を組付ける際に、容易に静止コネクタ７と可動コネクタ９との位置合わせを行うことができ、組付性を向上することができる。
【００７３】
また、保持部１１は、静止系部材３に設けられ静止コネクタ７が圧入される圧入部１５であるので、静止コネクタ７と係合する係止部や別体の係止部材を用いる必要がなく、静止コネクタ７を静止系部材３に固定させることができる。
【００７４】
さらに、保持部１１は、静止系部材３と静止コネクタ７とに設けられ、静止コネクタ７を静止系部材３に組付けることによって係合する係合部１７であるので、静止系部材３に対して静止コネクタ７が移動可能なように係合部１７を係合させることにより、係合部１７に組付けなどにおける寸法公差の吸収機能や静止コネクタ７と可動コネクタ９との嵌合における調芯機能をもたせることができる。
【００７５】
また、保持部１１は、電線１９が静止系部材３に２箇所で屈曲されて配索された屈曲部２１であるので、静止系部材３に直接的に静止コネクタ７を保持させるための部分を設ける必要がなく、静止系部材３の大型化を抑制することができる。
【００７６】
さらに、保持部１１は、静止系部材３と別体で形成され、静止コネクタ７を固定した状態で、静止系部材３に固定される保持部材２３であるので、静止系部材３側に保持部１１の設計が困難である場合に、保持部材２３を介して静止コネクタ７を静止系部材３に固定することができる。
【００７７】
なお、本発明の実施の形態に係るコネクタ接続構造では、嵌合位置決め部を構成する孔部と突部とが円形状となっているが、これに限らず、孔部に一対の溝部を設け、突部に一対の溝部と係合可能な一対の突条を設けるなど、静止コネクタと可動コネクタとの位置合わせを行える形状であれば、嵌合位置決め部の形状はどのような形状であってもよい。
【００７８】
また、静止系部材の電線固定部は、静止系部材と別体で形成されているが、これに限らず、電線固定部を静止系部材と一体に成形してもよい。
【符号の説明】
【００７９】
１…コネクタ接続構造
３…静止系部材
５…可動部材
７…静止コネクタ
９…可動コネクタ
１１…保持部
１３…嵌合位置決め部
１５…圧入部
１７…係合部
１９…電線
２１…屈曲部
２３…保持部材
【図１】
2015176781.tif 000003
【図２】
2015176781.tif 000004
【図３】
2015176781.tif 000005
【図４】
2015176781.tif 000006
【図５】
2015176781.tif 000007
【図６】
2015176781.tif 000008
【図７】
2015176781.tif 000009
【図８】
2015176781.tif 000010